(57)【特許請求の範囲】
【請求項１】
開口を有する外壁を含むハウジングと、
前記開口をおおって配置した観察用半球状体であって、前記ハウジングがビデオ監視カメラを支持するようにした観察用半球状体と、
前記ハウジング内に取付けられる少なくとも１つのファンであって、前記ファンが作動されているときもっぱら前記ハウジング内の空気を単一の方向に前記半球状体の内部表面の周りを循環し、前記ハウジングの前記外壁の内部表面に沿って継続する空気流パターンを確立させ、前記空気流パターンにより、前記観察用半球状体内部に停滞区域を存在させずかつ熱エネルギーを前記囲いの外側に連続的に消散させるために、前記囲い内から前記外壁及び前記観察用半球状体へ熱エネルギーを効率的に伝えることを特徴とする、少なくとも１つのファンとから成るビデオ監視システム用屋外囲い。
【請求項２】
前記ファンに隣接する前記循環空気流パターン内に取り付けられる温度応答ヒータをさらに含む、請求項1の囲い。
【請求項３】
前記ファンは、前記空気流パターンに関して前記ヒータから下流にかつ前記観察用半球状体から上流にある、請求項２の囲い。
【請求項４】
前記ファンは前記循環空気流パターンを横断して横一列に配置されている、請求項1の囲い。
【請求項５】
前記ヒータは両面に熱放射面を有し、前記循環空気流パターンは前記両放射面の双方をおおって流れる、請求項２の囲い。
【請求項６】
前記ファン及び前記ヒータを取付けるサブアッセンブリをさらに含み、前記サブアッセンブリは、前記ハウジングの前記外壁の形状に対応する輪郭を有し、前記外壁に隣接する前記囲いに取付けられると共に前記ハウジングの前記ヒータと前記外壁間及び前記ヒータと前記ビデオカメラ間にそれぞれ加熱可能な空気流路を形成する、請求項２の囲い。
【請求項７】
前記ファン及び前記ヒータをそれぞれ選択的に作動することで、-４０℃乃至＋５０℃の環境条件において前記ビデオカメラを連続作動するための最適条件が前記囲いに与えられることを可能にする、請求項２の囲い。
【請求項８】
前記ハウジングに過度に適合する太陽遮蔽物であって、前記遮蔽物と前記ハウジング間に空気通路を形成し、前記空気通路が前記遮蔽物の下端で前記ハウジングを囲む空気入口を有するようにする太陽遮蔽物と、
前記遮蔽物用カバーであって、前記遮蔽物の上端で前記ハウジングを囲む空気出口を形成し、それによって前記ハウジングから熱を消散させる前記空気通路を通して自然対流で第２空気流が設定されるカバーとをさらに含む、請求項１の囲い。
【請求項９】
前記ハウジング及び前記空気入口に隣接する太陽遮蔽物の周辺を囲んで配置される複数の垂直に向けられるひれをさらに含み、前記ひれが、前記熱消散を促進するために前記空気通路を通して前記囲いに衝突する風を転向させる、請求項８の囲い。
【請求項１０】
前記囲いのすべての電気的構成要素は、クラス２電源によって与えられる電力レベル未満で作動する、請求項２の囲い。
【請求項１１】
前記囲いの内部及び外部の湿気レベルを等しくする通気穴をさらに含み、前記囲いは前記通気穴を除いて実質的に密閉されると共に前記通気穴は前記空気流パターンに影響を与えるほど大きくない、請求項１の囲い。
【請求項１２】
前記ハウジングが実質的に円筒形であり、
前記ファン及び前記ヒータが、前記実質的に円筒形のハウジングの同一四半円周部に配置される、請求項１の囲い。
【請求項１３】
前記ハウジングが実質的に円筒形であり、
前記ファン及び前記ヒータが、前記実質的に円筒形のハウジングの同一四半円周部に配置される、請求項６の囲い。
【請求項１４】
開口を有する外壁を含むハウジングと、
前記開口をおおって配置した観察用半球状体であって、前記ハウジングがビデオ監視カメラを支持するようにした観察用半球状体と、
もっぱら前記ハウジング内から前記球状体の内部表面の周りに単一の方向に空気を循環さる空気流パターンを確立させ、共に前記ハウジングの前記外壁の内部表面に沿って空気流パターンを継続させる手段であって、前記空気流パターンは前記観察用半球状体内部に停滞区域を有せずかつ熱エネルギーを前記囲いの外側に連続的に消散させるために前記囲い内から前記外壁及ビ前記観察用半球状体へ熱エネルギーを効率的に伝える空気流確立手段とから成るビデオ監視システム用屋外囲い。
【請求項１５】
前記循環空気流パターン内に取付けられる温度応答ヒータをさらに含む、請求項1４の囲い。
【請求項１６】
前記空気流設定手段が、前記循環空気流パターンに関して前記ヒータから下流にかつ前記観察用半球状体から上流にある、請求項１５の囲い。
【請求項１７】
前記空気流設定手段が、少なくとも1つのファンを含む、請求項1４の囲い。
【請求項１８】
前記空気流設定手段が、前記循環空気流パターン内に横方向に一直線に整列される、請求項１４の囲い。
【請求項１９】
前記ファン及び前記ヒータを取付けるサブアッセンブリをさらに含み、前記サブアッセンブリは、前記ハウジングの前記外壁の形状に対応する輪郭を有し、前記外壁に隣接する前記囲いに取付けられると共に前記ハウジングの前記ヒータと前記外壁間及び前記ヒータと前記ビデオカメラ間にそれぞれ加熱可能な空気流路を形成する、請求項１５の囲い。
【請求項２０】
前記ファン及び前記ヒータをそれぞれ選択的に作動することで、-４０℃乃至＋５０℃の環境条件において前記ビデオカメラを連続作動するための最適条件が前記囲いに与えられることを可能にする、請求項１５の囲い。
【請求項２１】
前記ハウジングに過度に適合する太陽遮蔽物であって、前記遮蔽物と前記ハウジング間に空気通路を形成し、前記空気通路が前記遮蔽物の下端で前記ハウジングを囲む空気入口を有するようにした太陽遮蔽物と、
前記遮蔽物用カバーであって、前記遮蔽物の上端で前記ハウジングを囲む空気出口を形成し、それによって前記ハウジングから熱を消散させる前記空気通路を通して自然対流で第２空気流が設定されるカバーとをさらに含む、請求項１４の囲い。
【請求項２２】
前記ハウジング及び前記空気入口に隣接する太陽遮蔽物の周辺を囲んで配置される複数の垂直に向けられるひれをさらに含み、前記ひれが、前記熱消散を促進するために前記空気通路を通して前記囲いに衝突する風を転向させる、請求項２１の囲い。
【請求項２３】
前記囲いのすべての電気的構成要素は、クラス２電源によって与えられる電力レベル未満で作動する、請求項１５の囲い。
【請求項２４】
前記囲いの内部及び外部の湿気レベルを等しくする通気穴をさらに含み、前記囲いは前記通気穴を除いて実質的に密閉されると共に前記通気穴は前記空気流パターンに影響を与えるほど大きくない、請求項１４の囲い。
【請求項２５】
前記ハウジングが実質的に円筒形であり、
前記サブアッセンブリが前記実質的に円筒形のハウジングの同一四半円周部に配置される、請求項１９の囲い。
【請求項２６】
前記カメラが前記球状体内に配置されると、前記ビデオ監視カメラが見えるところに取付けられる前記ファン用のテルテールをさらに含む、請求項１４の囲い。
【請求項２７】
前記空気流設定手段及び前記ヒータ用のソリッドステート制御回路をさらに含む、請求項１５の囲い。
【請求項２８】
前記制御回路が前記囲い内の温度に応答する、請求項２７の囲い。
【請求項２９】
前記制御回路が前記囲い外部の温度に応答する、請求項２８の囲い。
【請求項３０】
前記カメラが前記観察用半球状体内に配置されると、前記ビデオ観察カメラが前記観察用半球状体から見えなくされることなく、前記空気流設定手段が可能な限り低く配置される、請求項１４の囲い。
【請求項３１】
開口を有する、概して円筒形の外壁を有する上部ハウジングと、
前記開口から下方に延びると共に前記開口をおおう観察用半球状体であって、前記囲いがビデオ監視カメラを支持するようにされる観察用半球状体と、
熱エネルギーを前記囲い外へ連続的に消散させるために、前記ハウジングの前記外壁内に前記熱エネルギーを伝える、前記ハウジング及び前記観察用半球状体内全体に第１空気流パターンを確立させる、前記囲い内に取付けられる少なくとも１つのファンと、
前記ハウジングに被せる太陽遮蔽物であって、前記太陽遮蔽物と前記ハウジング間に空気通路を形成し、前記通路が前記太陽遮蔽物の下端において前記ハウジングを囲む空気入口を有する太陽遮蔽物と、
前記第1空気流パターンによって前記ハウジングの外壁へ伝えられる前記熱エネルギーを消散させるために、前記通路を通して自然対流で、前記ハウジング及び前記観察用半球状体の外部全体に亘って、第２空気流パターンを確立させることができるように、前記遮蔽物の上端において前記ハウジングを囲む空気出口を形成する前記太陽遮蔽物用カバーと、
前記ハウジング及び前記空気入口に隣接する空気遮蔽物の周辺を取り囲むように配置される空気転向器であって、前記熱発散を促進するために前記空気通路を通して前記囲いに衝突する風を方向づける空気転向器とから成るビデオ監視システム用屋外囲い。
【請求項３２】
前記空気転向器が垂直方向に方向づけられた複数のひれを含む、請求項３１の囲い。
【請求項３３】
前記囲いの内部及び外部の湿気レベルを等しくする通気穴をさらに含み、前記囲いは前記通気穴を除いて実質的に密閉されると共に前記通気穴は前記空気流パターンに影響を与えるほど大きくない、請求項３１の囲い。
【請求項３４】
前記ハウジングが実質的に円筒形であり、
前記少なくとも１つのファン及び前記ヒータが、前記実質的に円筒形のハウジングの同一四半円周部に配置される、請求項３１の囲い。
【請求項３５】
２つのファンを含み、前記２つのファン及びヒータが前記円周部分に配置される、請求項３４の囲い。
【請求項３６】
前記カメラが前記観察用半球状体内に配置されると、前記ビデオ観察カメラが前記観察用半球状体から見えなくされることなく、前記少なくとも１つのファンが可能な限り低く配置される、請求項１４の囲い。
【請求項３７】
前記カメラが前記観察用半球状体内に配置されると、前記ビデオ監視カメラが見えるところに取付けられる前記少なくとも１つのファン用のテルテールをさらに含む、請求項１４の囲い。
【発明の詳細な説明】
【０００１】
【産業上の利用分野】
本発明は監視システム内のビデオカメラ用囲いに関し、特にビデオカメラの作動に悪影響を及ぼすことなく広範囲の環境温度及び天候条件に耐え得る監視システム内のビデオカメラ用囲いに関する。本発明は、そのような屋外ビデオカメラ囲いを用いるビデオ監視システムにも関する。
【０００２】
【発明が解決すべき課題】
当業者によって直面される長い間未解決の問題は、例えば、約-４０℃乃至＋５０℃の温度と、快晴酷暑から雨雪極寒温度に及ぶ天候条件とに亘る広範な環境温度及び天候条件を通して作動し得る、環境的に密閉されたビデオ監視ドームカメラ用囲いを発明することであった。さらに、安全上の理由でそのような囲いは、高々８０VA又はそれ未満のクラス２電源として限定される入力電力で作動しなければならない。また、縮小された新監視ドームカメラのサイズのために、先行製品と比べて囲いのサイズを低減させることが望ましくかつ必要である。サイズのそのような低減により、このような囲いで用いられ得るファンのサイズが約３０ｍｍ２に限定される。この寸法の標準ファンでは、典型的に空気流の容量は毎分３．５立方フィートに限定される。これは比較的小さな流れであり、局限の温度において必要とされる冷却及び加熱を達成するためにデザイン上の努力目標を与える。基本的な技術目標に加えて、市場圧力により新しい囲いは美的に快適であり、現存するデザインより実質的に安価であることが必然的に求められる。電力制限のためにサイズの縮小を要するのに加えて、より小型かつスマートで目立たなくすることによって外観を改良するのが望ましい。監視カメラは通常屋外高所にあるのでサービスのために接近するのが概して困難なので、最後であるが決定的な努力目標は高信頼性を達成することである。
【０００３】
先の解決策では、球状体の周囲を等間隔に囲む多数の点から球状体を通して熱気を吹き降ろすために各種配置のファンが用いられる。これは霜又は氷の溶解に備えるために球状体を通して熱気の一様な分布を与えるためである。これらの多くのデザインでは、熱気を発生させるために内部にヒータを有するダクト又は管を通して空気が吹き出されるか若しくは吸い込まれる。これらのデザインでは、分配マニホルド上の多数の点から有意の空気速度を発生させるために要する高静圧が可能な、上記サイズより大きいファンが必要とされる。代わりのデザインでは、ファンに密接するヒータを通して空気を吸い込むためにファンは比較的自由な空間に取付けられる。この方法は、ファンを出て行く空気が直ちにファン入口に戻ることが可能なので、ハウジング及び球状体全体を通しての空気循環は促進されない。この不十分な循環では、暖環境において熱をドーム外へ移動させると共に寒環境においてハウジングの光学面を暖めるハウジングの能力が低下される。
【０００４】
先行技術による屋外ビデオ監視カメラ用囲いは、Sensormatic  Electeronics、Pelco及びViconの各社によって販売される。本明細書で用いられるカメラ取付けアッセンブリは、共同発明者であるシールツ（Schieltz）による米国特許第５，６４９，２５５号に記載される。
【０００５】
【課題を解決するための手段】
本明細書の教示による発明的配置では、球状体に隣接すると共に球状体周辺を取り巻くファン位置の双方が重要であるとの認識に一部基づくものである。同様に発明的配置は、冷却及び加熱の双方につき最も効率的に空気流の経路を決めるために、総合的な囲い内のヒータ囲いアッセンブリもまた必要とされたことを認識することにも一部基づくものである。本発明的配置の各種の面で特性の異なった組合せが具体化され得るが、以下の特性はそれぞれ発明的配置の達成に寄与する。
【０００６】
少なくとも１つ、望ましくは２つのファンは、球状体（実質的に半球状になり易い）の周辺を取り巻いて等距離に配置する代わりに、互いに比較的隣接して配置する。この配置で、ファンは球状体の底部に向けて下方に強制的に空気を送り、他の側で上方に強制的に空気を送ることが可能になる。従来デザインでは空気が一様に分配されるが、空気流は球状体の底で互いに衝突し、最も必要とされるところで大幅に空気量が低下した停滞空気個所が発生する。
【０００７】
複数のファンは、カメラ視界を妨げることなく球状体に関してできるだけ低く配置されるのが望ましい。これらのファンは、ファンブレードの軸が垂直になるようにして、空気流を横切って配置される。これは、ハウジングがビデオカメラを収容するのに必要な大きさ以上にならないように、斜めに取付ける必要のない小さなファンを用いることによって達成される。これによって、ファン出口と球状体表面との間の風路が短くなるので球状体表面を循環する空気量が最大になる。
【０００８】
ファンに関するこの位置の付加的利点は、ファンが作動中であるかどうかを判断するために、下から球状体を通して、若しくは監視カメラを用いてファンを見ることができることである。ファンが正確に作動中であるかどうかを判断するこの能力を高めるために、移動空気中ではためく（パタパタする）、軽い柔軟な材料製のテルテール指示器をファンの下に配置することができる。
【０００９】
ファンは、総合的囲いの周辺の半分までを占め得る湾曲したヒータ囲いアッセンブリの底、特に、球状体及びビデオカメラが取付けられるハウジング上に取付けられる。ヒータを収納するアッセンブリは、監視ドームカメラ及びハウジングの外壁間に配置され該周辺の１/４までを占めるのが望ましい。同アッセンブリは、ヒータアッセンブリを通してハウジングの頂部から下方にヒータアッセンブリを通って、球状体内部のカメラの周りを循環し、ハウジングの他の側で空気が上方に戻るように、ハウジングの頂部内に達する十分長い空気経路を定める。これで、囲いの頂部から空気を吸い込んでそれを底部で排気することによって、ファンを横切る圧力低下が最小で、囲いの内面に沿って空気の循環が流れるようになる。囲いの壁、ハウジングの外壁及び球状体の壁を通して熱を外部に伝えることがそれを除去する唯一の手段なので、囲いの内面に沿った空気流を最大化するこの効果は冷却にとって重大である。この冷却を付加的に増大させるために、ヒータアッセンブリの外壁はハウジング壁に対して開かれ、熱伝導を促進するためにハウジングはアルミ又は類似の熱伝導物質で作られ得る。ファンのサイズは囲いの総合的サイズ及び監視カメラのサイズによって制限されるので、カメラを暖めかつ球状体からの氷及び霜を溶かす目的で空気が球状体内へ下方に放射すようにするためには、ファンからの空気流をおそくしないことが重要である。ヒータアッセンブリは冷温時空気を暖める感温ヒータエレメントを具備する。サービス中にサービス員が偶然ヒータに触れるのを防ぐためにアッセンブリは安全遮蔽物としても作動し、火災の場合それは安全装置ともなり、ヒータ故障の場合ボックスからの溶解物質の落下を防ぐ。
【００１０】
完全ソリッドステート環境制御回路が用いられ、温度が特定された温度を下回るとヒータを点けるソリッドステートセンサ及びスイッチが含まれ得ることが望ましい。この回路要素は切替え履歴現象（ヒステリシス）を与えるように設計され、回路要素の非常に迅速な周期的切替え運動を防止するために、それが点けられる時点より高い温度でヒータが切られるようにされ得ることが望ましい。任意選択的に、温度が氷点下以下で氷がカメラ視界を妨げ得る場合には、より正確に検知するために環境制御回路要素の検知要素は囲いの外部に配置され得る。外部温度が氷点下以下の場合ヒータがカメラを過熱しない限りヒータをそのままに保つことを可能にする回路要素によってこれは内部センサと組合され得る。これで溶解時間を低下させ氷溶解能力が改良される。
【００１１】
ヒータアッセンブリは、サービスのために容易に取外し可能なモジュールデザインが望ましい。さらに、ヒータアッセンブリは、より大きなヒータ、より多くのファン、より高度な空気流能力を有するファン又はその組合せを有する任意選択バージョンで設計され得る。
【００１２】
太陽遮蔽物の下でハウジングの頂部に取付けられる息抜き管ポートは、空気及び水蒸気は容易に通ることを可能にするが、水又は埃が通ることは許さない。その唯一の目的は、装置が高湿度内で取付けられるとき水蒸気が囲いから出ることを可能にし、従って、温度が露点以下に下がるとき囲い内部に霧又は凝結が形成されるのを防止することである。水蒸気及び空気のこの交換は、ハウジングおよび球状体内部を循環する空気流パターンに影響を与えるか若しくは干渉することはない。
【００１３】
囲い外側の外観は、流行のプラスチック射出成形された太陽遮蔽物で向上され得る。太陽遮蔽物は製品に極めて独特の外観を与えると共に内部のアルミ囲いが放射熱移動を通して太陽で加熱されるのを防止する。ハウジング及び太陽遮蔽物間に形成され、通路及びハウジングを通して対流空気移動を可能にし、より効率的な熱放散を可能にする。球状体は囲いに密閉されると共に同様に射出成形されかつ製品のスタイルを向上させるようにデザインされたトリム（調節）リングで太陽遮蔽物に接続される。さらに、垂直ひれ又はルーバ（羽板）を有する風デフレクタ（転向器）として作動するトリムリングは、通路をさらに換気して熱放散を促進するために、風の水平移動をすべてハウジング及び太陽遮蔽物間に形成される通路内に上向きに方向づける。
【００１４】
これら特性の独特の組合せで、押し付けられた電力制限にもかかわらず、高温で密閉されたハウジング内のカメラを冷却し、寒い冬季作動間に球状体内部の装置を暖めかつ氷を溶かす目的を達成させるために小さなファンの使用を可能にする。ヒータ囲いによって、その部分的利用で幾つかの問題が独特に解決される。ヒータ囲いは空気を方向づけて監視ドームカメラの回りを流れるようにし、球状体内に最大空気量を与えるようにファンが取付けられることを可能にし、ヒータを遮蔽して安全係数を与え、モジュールヒータ・ファンアッセンブリの便宜に備える。さらに、これらの特性は、暖天候間に熱を囲い外へ移動させかつ寒天候で球状体の氷を溶かすために肝要な空気流を制限するよりはむしろそれに貢献する。
【００１５】
発明的配置によるとビデオ監視システム用の屋外囲いは、開口を有する外壁を含むハウジングと、開口をおおって配置される観察用半球状体であって、ハウジングがビデオ監視カメラを支持するようにされる観察用半球状体と、空気流パターンを設定するために囲い内に取り付けられる第1及び第２ファンであって、ファンの作動中カメラが観察用半球状体に配置されると、ビデオ監視カメラの周りを単一指向性的に循環する空気流パターンには観察用半球状体内部に停滞区域がなくかつ熱エネルギーを囲いの外側に連続的に消散させるために囲い内から外壁及ビ観察用半球状体へ熱エネルギーを効率的に伝える第1及び第２ファンとから成る。
【００１６】
囲いは、ファンに隣接する前記循環空気流パターン内に取り付けられる温度応答ヒータをさらに含む。ヒータは両面に熱放射面を有し、前記循環空気流パターンは前記両放射面の双方をおおって流れるのが望ましい。
【００１７】
ファンは、前記空気流パターンに関して前記ヒータの下流で前記観察用半球状体の上流にあり、循環空気流パターン内で実質的に横一列に配置することが望ましい。
【００１８】
囲いは、ファン及びヒータを取付けるサブアッセンブリをさらに含むのが望ましい。サブアッセンブリは、ハウジングの外壁の形状に対応する輪郭を有し、外壁に隣接する囲いに取付けられる。サブアッセンブリは、ハウジングのヒータと外壁間及びヒータとビデオカメラ間にそれぞれ加熱可能な空気流路を形成する。
【００１９】
ファン及び前記ヒータをそれぞれ選択的に作動させることで、-４０℃乃至＋５０℃の環境条件においてビデオカメラを連続作動するための最適条件が前記囲いに与えられることを可能にする。
【００２０】
囲いは、ハウジングの上に被せる太陽遮蔽物であって、遮蔽物とハウジング間に空気通路を形成し、空気通路が遮蔽物の下端でハウジングを囲む空気入口を有するようにする太陽遮蔽物と、遮蔽物用カバーであって、遮蔽物の上端でハウジングを囲む空気出口を形成し、それによってハウジングから熱を消散させる空気通路を通して自然対流で第２空気流が設定されるカバーとをさらに含む。ハウジング及び空気入口に隣接す太陽遮蔽物の周辺を囲んで配置される複数の垂直に向けられるひれがさら配置され得る。ひれは、熱消散を促進するために空気通路を通して囲いに衝突する風を転向させる。
【００２１】
囲いのすべての電気的構成要素は、クラス２電源によって与えられる電力レベル未満で作動する。
【００２２】
囲いは、囲いの内部及び外部の湿気レベルを等しくする通気穴をさらに含み、通気穴を除いて実質的に密閉されると共に通気穴は空気流パターンに影響を与えるほど大きくはない。
【００２３】
ハウジングは実質的に円筒形であり、第1ファン、第２ファン及びヒータが、実質的に円筒形のハウジングの同一四半円周部に配置され得る。
【００２４】
さらなる発明的配置によるビデオ監視システム用の屋外囲いは、開口を有する外壁を含むハウジングと、開口をおおって配置される観察用半球状体であって、ハウジングがビデオ監視カメラを支持するようにされる観察用半球状体と、カメラが観察用半球状体に配置されると、ビデオ監視カメラの周りを単一指向性的に循環する空気流パターンを設定する手段であって、観察用半球状体内部に停滞区域がなくかつ熱エネルギーを囲いの外側に連続的に消散させるために囲い内から外壁及ビ観察用半球状体へ熱エネルギーを効率的に伝える手段とから成る。
【００２５】
囲いは、循環空気流パターン内に取付けられる温度応答ヒータをさらに含む。
【００２６】
囲いは、空気流設定手段が、循環空気流パターンに関してヒータから下流にかつ観察用半球状体から上流にある。
【００２７】
空気流設定手段は、少なくとも1つのファン、望ましくは２つのファンを含む。ファンは、前記循環空気流パターン内に横方向に一直線に整列されるのが望ましい。
【００２８】
囲いは、ファン及びヒータを取付けるサブアッセンブリをさらに含み、サブアッセンブリは、ハウジングの外壁の形状に対応する輪郭を有し、外壁に隣接する囲いに取付けられると共にハウジングのヒータと外壁間及びヒータとビデオカメラ間にそれぞれ加熱可能な空気流路を形成する。
【００２９】
ファン及びヒータをそれぞれ選択的に作動することで、-４０℃乃至＋５０℃の環境条件においてビデオカメラを連続作動するための最適条件が囲いに与えられることを可能にする。
【００３０】
囲いは、ハウジングに過度に適合する太陽遮蔽物であって、遮蔽物とハウジング間に空気通路を形成し、空気通路が遮蔽物の下端でハウジングを囲む空気入口を有するようにする太陽遮蔽物と、遮蔽物用カバーであって、遮蔽物の上端でハウジングを囲む空気出口を形成し、それによってハウジングから熱を放散させる空気通路を通して自然対流で第２空気流が設定されるカバーとをさらに含む。複数の垂直に向けられるひれが、ハウジング及び前記空気入口に隣接す太陽遮蔽物の周辺を囲んで配置される。ひれは、熱放散を促進するために空気通路を通して囲いに衝突する風を転向させる。
【００３１】
囲いのすべての電気的構成要素は、クラス２電源によって与えられる電力レベル未満で作動する。
【００３２】
囲いは、囲いの内部及び外部の湿気レベルを等しくする通気穴をさらに含み、囲いは通気穴を除いて実質的に密閉されると共に通気穴は空気流パターンに影響を与えるほど大きくはない。
【００３３】
ハウジングが実質的に円筒形であり、第1ファン、第２ファン及びヒータが実質的に円筒形のハウジングの同一四半円周部に配置され得る。
【００３４】
他の発明的配置によるビデオ監視システム用の屋外囲いは、開口を有する、概して円筒形の外壁を有する上部ハウジングと、開口から下方に延びると共に開口をおおう観察用半球状体であって、囲いがビデオ監視カメラを支持するようにされる観察用半球状体と、熱エネルギーを囲い外へ連続的に放散させるために、ハウジングの外壁内に熱エネルギーを伝える、ハウジング及び観察用半球状体内全体に第１空気流を確立する、囲い内に取付けられる少なくとも１つのファンと、ハウジングの上に被せる太陽遮蔽物であって、太陽遮蔽物とハウジング間に空気通路を形成し、通路が太陽遮蔽物の下端においてハウジングを囲む空気入口を有する太陽遮蔽物と、第1空気流パターンによってハウジングの外壁へ伝えられる熱エネルギーを消散させるために、通路を通して自然対流で、ハウジング及び観察用半球状体の外部全体に亘って、第２空気流パターンを確立することができるように、遮蔽物の上端においてハウジングを囲む空気出口を形成する太陽遮蔽物用カバーと、ハウジング及び空気入口に隣接する空気遮蔽物の周辺を取り囲むように配置される空気転向器であって、熱発散を促進するために空気通路を通して囲いに衝突する風を方向づける空気転向器とから成る。
【００３５】
空気転向器は、垂直方向に方向づけられた複数のひれを含む。
【００３６】
囲いは、囲いの内部及び外部の湿気レベルを等しくする通気穴をさらに含み、囲いは通気穴を除いて実質的に密閉されると共に通気穴は空気流パターンに影響を与えるほど大きくはない。
【００３７】
ハウジングは実質的に円筒形であり、ハウジング及び遮蔽物間の空気通路も実質的に円筒形であり得る。少なくともつのファン及びヒータがハウジングの同一四半円周部に配置され得る。そこでは囲いは２つのファンを含み、２つのファン及びヒータが円周部分に配置され得る。
【００３８】
さらなる発明的配置によると、上記配置の各囲いの各々がビデオ監視カメラと組み合って与えられ得る。
【００３９】
【実施形態】
ビデオ監視カメラ用屋外囲い１０が図１に示される。囲いの外観は太陽遮蔽物１２、球状体観察ドーム１４及び風デフレクタ、即ち、転向器として有利に働くトリム（調節）リング１６及びカバー１８によって限定される。望ましい現実施形態では、太陽遮蔽物１２は実質的に円筒形璧を有する下向きに開くカップ形状を有する。下方の開口は、実質的に半球状の球状体観察ドーム１４で閉じられる。太陽遮蔽物１２の頂部開口は、完全ではないがカバー18によって大部分閉じられる。図２に図解的に示されるビデオ監視カメラ２０は囲い１０に回転自在に取付けられ、自働又は手動で遠隔制御によってカメラがパン、ズーム及び移動されるにつれて、カメラレンズが球状体観察ドーム１４を通して外側をスキャンすることができるようにされる。球状ドーム１４は、着色若しくはカメラの作像能力を妨げない各種の金又は銀の反射性コーティング（皮膜）によって、透明にするか若しくは半透明にすることができる。囲いをさりげなく調べることによってカメラの位置を判断できないようになっていることが有益である、さもなければそれはしかるべき時にカメラの視界範囲を判断されてしまう役割を果たしてしまうであろう。囲い及びカメラは、他の図と共に詳説されるアッセンブリによって支持され、それは電力線及び制御ワイヤを通し得るねじ付き管具２８を含む。
【００４０】
囲い１０の小型サイズは、望ましい現実施形態の以下の各寸法から理解され得る。太陽遮蔽物１２の直径は、その最下の最も広い部分で約２４３．５ｍｍである。球状体ドーム１４の半径は約８９ｍｍである。太陽遮蔽物１２、トリムリング１６及びカバー１８の高さは約２０６．５ｍｍである。球状体ドーム１４、トリムリング１６、太陽遮蔽物１２及びカバー１８の高さは約２８４．５ｍｍである。ねじ付き管具２８は、約１８．５ｍｍだけカバー１８の上方に伸びる。ねじ付き管具を含む総合的高さは約３０３ｍｍである。
【００４１】
囲いの内部配置は、始めに図２及び３を、次いで図２及び４を参照することによって理解され得る。ビデオカメラ２０は、米国特許第５，６４９，２５５号に記載される種類の速接続、速取外し式の取付けベース（部品）３０に取付けられる。この取付けシステムは、それ自体単独では本発明の一部をなさないが、同システムのさらなる詳細については上記特許が参照され得る。
【００４２】
多数の適切なビデオ監視カメラが、スピードドームウルトラ（Speed Dome Ultra）の名称でSensormatic Electronics社から入手され得る。そのようなカメラは、NTCS, PAL, CCIR及びEIA標準により、白黒又はカラーで入手され得る。
【００４３】
取付け部品３０は、フラットベース３２１及び外向きに伸びるアーム３２２及び３２３を有するC形ブラケット３２で固定される。アームは、取付け部品３０が取付けられるフランジ３２８、３２９を有する。フラットベース３２１は、ビデオカメラ用のワイヤが自由に通り得る中央開口３２６を有する。フラットベース３２１には、取付け部品３０から離れる方へ向けられる、矩形列をなす４つのねじ付きスタッド３２４も与えられる。最後に、フラットベース３２１には、湿気換気用の空気通路の一部を形成する開口３２５も与えられる。
【００４４】
エラストマガスケット３４には開口３２６の対応する開口３４６及びねじ付きスタッド３２４を受容する一連の孔３４７が与えられる。最後に、シール又はガスケットには開口３２５に対応する開口３４５が与えられる。実際問題として、ガスケットには２つの孔３４５が与えられ、左及び右整列を考慮することなくガスケットが用いられるようにされる。図３の意図に関して、取付け部品３０、C形ブラケット３２及びガスケット３４は図示の順でハウジング２２内部に固定され、特に、ハウジング２２の頂部２２３の対応する一組の孔と一直線をなしてかみ合わされる。図面には全体の孔パターンは示されていないが、取付け部品３０の最終位置が図７に示される。
【００４５】
ハウジング２２には実質的に円筒形の外壁が与えられ、それからフランジ２２２が伸びる。ハウジング２２には、図５−７に示されるヒータ・ファンアッセンブリ４８の整列及び取付けを容易にさせる２つのブラケット２２４も同様に与えられ、図３ではその１つのみが見られる。ガスケット３８はガスケット３４と同一の第２エラストマガスケットであり、矩形列をなす孔３８７、中央孔３８６及び孔３４５及び３２５と一直線をなす換気孔を有する。
【００４６】
ベース４０１及びねじ付き管部分４０２を有する囲い取付ブラケット４０が、ハウジング２２の頂部２２３の外面に対してガスケット３８をおおって配置される。ベース４０１には、ガスケット３８、フランジ３４、ブラケット３２及びハウジング２２の頂部２２３と同一パターンの孔４０５、４０６及び４０７が与えられる。ブラケット３２のねじ付きスタッド３２４は、ベース４０１の孔を通して伸びる十分な長さを有し、ワッシャ４０３及びナット４０４でこれまで述べた部品を互いにしっかり固定することを可能にする。ブッシュ３６は、孔３８６、３４６、３２６及びハウジング２２の頂部２２３の対応する孔より小さい直径を有する、ベース４０１の孔４０６内にねじ込まれるようにされる。ブッシュ３６は、カメラ用のワイヤがハウジング内に通される従来型のブッシュである。ブッシュ３６が孔４０６内に堅くねじ込まれるにつれてブッシュは、ガスケット３８及び３４と共に作動して、ハウジング頂部の開口を密閉するようにワイヤを締付ける。孔４５は、ハウジング２２の内部及び外部の湿気レベルを等化するのに丁度十分な空気がそこを通って流れるのを可能にするために、ハウジング２２の内部及び外部間に非常に小さな空気通路を維持する換気部材４０８をねじ込み可能に受容するようにされる。
【００４７】
息抜き管ポートを用いることで、空気中のあらゆる内部水蒸気の分圧が外部環境の水蒸気と等化するにつれて、内部湿気が外部環境と等化されるのを可能にする。ヒータ周期変化による温度変化及び天候変化サイクルもまたハウジング内の空気を拡張及び収縮させ、従って、ハウジング内部に捕捉される湿気が外部環境と等化されるように強制される。
【００４８】
カメラ視野を遮ることなくかつ囲いの単一側で、球状体にできるだけ隣接してファンを設置することで、空気移動が一方側で球状体を横切って下降し、反対側で上昇するようにされる。これでまた、安全及びサービスの理由でヒータ及びファンが有利に配置されることになる。ヒータ・ファンアッセンブリの上方に有利に配置される内部センサ及び、同様に任意選択的に、外部環境温度用の外部センサによって、ファン及びヒータは囲いの頂部で検知される空気に応答して制御され得る。テルテールはファン上に若しくはそれと隣接して取付けられ得る。球状体を通した観察又はビデオカメラによる観察又は多分その双方により、ファンが作動中かどうかを決めるためにファン又は少なくともテルテールを見る能力は、改良された信頼性及びサービスを与える。
【００４９】
太陽遮蔽物１２は実質的に円筒形の壁１２１、大きな下方開口1２２及び小さな上方開口１２６を有する。上方開口１２６には、その遠位端がねじ付き管部４０２の外径に対応する開口を限定する、３つ又は４つの内向きに伸びかつ等しく隔置されたウエブ（腹板）１２４が与えられる。ウエブ１２４は、囲い１０全体の中央軸に対応する、図３に示されるアッセンブリの軸に関して太陽遮蔽物１２が依然として中心にあることを保証する。
【００５０】
図２に示されるように空気通路１０３を形成するために、太陽遮蔽物１２がハウジング２２の外壁２２１から隔置されることが必要である。太陽遮蔽物のこの通路が全体的又は部分的に不用意に閉じられるのを防止するために、図２に示されるように幾つかの下向きにされたスペーサ１２５が、ハウジング２２の頂部２２３上に載っているようにされる。
【００５１】
カバー１８は、ねじ付き管部分４０２が通り得る開口１８２及び開口１８２を限定する内向きにされた縁（リム）部分１８３を有する。カバー１８によって通路が全体的又は部分的に閉じられるのを防止するために、図２に示されるように、スペーサ１８１がそのような閉鎖を防止するようにされる。カバー１８及び太陽遮蔽物１２はねじ付き管部分４０２に固定され、従って、ナット４２によってハウジング２２に締付けられる。
【００５２】
ビデオカメラ２０の全重量が、取付部品３０、ブラケット３２及び取付ブラケット４０によって支持されることが上記説明により理解されるべきである。この剛性アッセンブリはまた、ハウジング２２、太陽遮蔽物１２及びカバー１８をも支持する。このことは、ハウジング２２がアルミのような軽量材料で作られると共に太陽遮蔽物及びカバーが軽量ブラスチック材料で作られことを可能にする。
【００５３】
図２及び４を参照すると、球状体ドーム１４は実質的に半球部分１４１及びフランジ１４２から成る。フランジには弧状ノッチ１４３及び孔１４１が与えられる。デフレクタ及びトリムリング１６には複数のひれ又はルーバ１６１、孔１６２及び取付ねじ１６３が与えられる。図４では見えないが、デフレクタの表側には、穴１４４が穴１６２と一直線をなすように弧状ノッチ、即ち、くぼみ１４３とかみ合う構造体が与えられる。エラストマガスケット４６には弧状くぼみ４６３及び孔４６４が与えられる。従って、ガスケット４６はリング１６及びフランジ１４２と一直線をなすようにされ得る。図２に示されるように組立てられると、リング１６及び球状体ドーム１４はハウジング２２のフランジ２２２と密閉可能に接続される。従って、通気孔４０８によって与えられる湿気制御を除けば、カメラ２０は完全に密閉された室内にあることが理解され得る。太陽遮蔽物１２の底部端はかみ合って、デフレクタ１６の最上端によって正しい位置に保たれる。
【００５４】
ファン・ヒータアッセンブリ４８は、図５及び６にさらに詳しく示される。ファン・ヒータアッセンブリは、概して弧状形を有し、ハウジング２２の円周の高々半分、即ち、図７の角度Aによって示されるように、1/４以下を占めるように構成されるのが望ましい。ヒータ要素４８７は、側部フランジ４８３及び４８４間でアッセンブリ４８の中央部分に配置される。下方フランジ、即ち、棚状体４８８は第１及び第２ファン４８１及び４８２を支持する。ヒータ４８７は粘着的に取付けられ得る。粘着的取付は、その上に曲げられるタブ４８６によって補足され得る。アッセンブリ４８内にヒータ４８７を配置することで、循環する空気流パターン１０２がヒータ４８５の両側をおおって流れることを保証し、加熱が必要なとき空気加熱の最高効率が保証される。
【００５５】
このアッセンブリが図２及び７に示されるように取付けられると、ファンの作動で矢印１０２によって示される循環する空気流パターンが確立される。空気流パターンは、ハウジング２２及び球状体ドーム１４によって形成される密閉室内に実質的に熱の均等配分を与える。循環空気流パターンの熱エネルギーは、ハウジング２２の壁及び球状体ドーム１４とかみ合い、それを通して熱エネルギーが伝達されて密閉室から消散されるのを可能にする。球状体ドームは大気に直接さらされる。ハウジング２２の壁を通した熱エネルギーの消散は、矢印１０４で示されるように、ハウジング２２及び太陽遮蔽物１２間に形成される通路１０３を通して移動する空気によって達成される。通常の環境下では、対流は熱エネルギーの消散を助長する、上向きに移動する空気流パターンに帰着する。囲いに風が衝突するときはいつでも、熱消散を促進かつ向上させるために、ひれ、即ち、ルーバによって空気が通路１０３内へ上向きに転向される。
【００５６】
寒環境条件では、ヒータ４８７の作動で、デオカメラの作動を妨害する、氷及び霜が球状体ドーム１４上に形成されるのを防止し得る。ヒータ及びファンはサーモスタット、特に、ソリッドステート制御器によって自動的に制御されるのが望ましい。同制御器は、ハウジング内に設けられ、８０VA又はそれ以下のクラス２電源の限られた入力電力にもかかわらず、約-４０℃乃至＋５０℃の温度範囲に亘ってビデオカメラが適切に作動することを可能にする。制御回路は、囲い内部の温度及び囲い外部の温度、例えば、ソリッドステート温度センサに応答するようにされ得る。このようなソリッドステート制御器及びセンサは、当業界では周知なので簡明化のために省略される。もし必要ならば、現存製品のSensormatic Corporation社で用いられるサーモスタット制御システムが参照され得る。
【００５７】
図２を参照すると、囲い１０は、ねじ付き管部分４０２にねじ込み可能に取付けられる管取付部品４４によって支持され得る。例示された管取付部品は直角部品であるが、取付け要件に依存して直線部品も同様に用いられ得る。取付部品には、安全のために止めねじを受容するねじ付き開口４４１が与えられ得る。
【００５８】
総合的に、本明細書で教示される発明的な配置による囲い１０は、先行技術と関連して述べられたすべての問題を克服し、限られた電力要件で広範な環境温度及び天候条件を通して屋外位置でビデオ監視カメラの安全かつ有効な使用を可能にする。さらに、発明的配置による囲い１０は小型のみならず魅力的である。
【図面の簡単な説明】
【図１】  発明的配置及び現在望ましい実施形態によるビデオ監視カメラ用屋外囲いの側部立面図である。
【図２】  図１に示される囲いの内部を示す断面図である。
【図３】  ハウジング、太陽遮蔽物及びカメラ取付アッセンブリの分解組立図である。
【図４】  風転向器トリムリング及び球状体観察ドームのアッセンブリを示す分解組立図である。
【図５】  ファン・ヒータアッセンブリの内部透視図である。
【図６】  図５に示されるファン・ヒータアッセンブリの外部透視図である。
【図７】  ファン・ヒータアッセンブリの望ましい配置を示すハウジング内部の透視図である。
【図１】
0004309585.tif 000002
【図２】
0004309585.tif 000003
【図３】
0004309585.tif 000004
【図４】
0004309585.tif 000005
【図５】
0004309585.tif 000006
【図６】
0004309585.tif 000007
【図７】
0004309585.tif 000008